(57)【要約】【課題】  袋体内部に混入したカビの胞子、ウイルスや細菌などの有害物質を分解し、除菌、殺菌効果の持続性が極めて高いうえに、脱臭効果も発揮する防腐性おむすび包装体を提供することを目的とする。【解決手段】  包装用の袋体１内部におむすび５を密封状態に封入するおむすび包装体において、前記袋体１を、光触媒紙２の裏面に防湿性プラスチックフィルム材３を部分的にコーティングすることによって形成して成る。【選択図】          図４
2005280823.tif 000002
【特許請求の範囲】
【請求項１】
包装用の袋体内部におむすびを密封状態に封入するおむすび包装体において、前記袋体を、光触媒紙の裏面に防湿性プラスチックフィルム材を部分的にコーティングすることによって形成したことを特徴とする防腐性おむすび包装体。
【発明の詳細な説明】
【技術分野】
【０００１】
本発明は、包装用の袋体内部に密封状態に封入したおむすびの腐敗防止に効果的な防腐性おむすび包装体に関する。
【背景技術】
【０００２】
従来、おむすびの腐敗を防止し、日持ちを良くするために、防湿性シートから成る包装用の袋体を作り、この袋体内部におむすびを密封状態に封入するおむすび包装体は知られている。
【特許文献１】特になし
【発明の開示】
【発明が解決しようとする課題】
【０００３】
しかしながら、前記したように防湿性シートから成る袋体内部におむすびを密封状態に封入しただけでは吸湿を防ぐ効果はあっても、袋体内部の空間に存在するカビの胞子、ウイルスや細菌などの有害物質を分解する能力はなく、除菌、殺菌効果の持続性に乏しいうえに、脱臭効果を発揮することもなった。
【０００４】
本発明は、このような問題を解消するためになされたもので、包装用の袋体を光触媒紙の裏面に防湿性プラスチックフィルム材を部分的にコーティングすることによって、袋体内部に混入したカビの胞子、ウイルスや細菌などの有害物質を分解し、除菌、殺菌効果の持続性が極めて高いうえに、脱臭効果も発揮する防腐性おむすび包装体を提供することを目的とする。
【課題を解決するための手段】
【０００５】
上記目的を達成するために、本発明に係る防腐性おむすび包装体は、包装用の袋体内部におむすびを密封状態に封入するおむすび包装体において、前記袋体を、光触媒紙の裏面に防湿性プラスチックフィルム材を部分的にコーティングすることによって形成したことを特徴とする。
【発明の効果】
【０００６】
本発明は、おむすび包装用の袋体を、光触媒紙とその裏面に部分的にコーティングした防湿性プラスチックフィルム材にて形成したものであるから、おむすびに対して防湿性を有すると同時に、光触媒作用も奏するものとなり、袋体内部に混入したカビの胞子、ウイルスや細菌などの有害物質が分解でき、除菌、殺菌効果の持続性が高いうえに、脱臭効果も発揮する。
【０００７】
したがって、袋体内に封入されたおにぎりの日持ちが極めて向上し、おにぎりの腐敗を防止するのに有効であり、かつ材料費も極めて低コストですむものである。
【発明を実施するための最良の形態】
【０００８】
以下、本発明を実施するための最良の形態について図面を参照して説明する。
図１は、本発明を実施するための最良の形態における防腐性おむすび包装体を示す正面図であり、図２は、他の実施形態における防腐性おむすび包装体を示す正面図であり、図３は、さらに他の実施形態における防腐性おむすび包装体を示す正面図であり、図４は、袋体を示す一部拡大断面図である。
【０００９】
図１に示す防腐性おむすび包装体Ａは、包装用の袋体１の内部におむすび５を密封状態に封入するように構成されている。
【００１０】
包装用の袋体１は、図４に示したように、光触媒紙２の裏面に防湿性プラスチックフィルム材３を部分的にコーティングすることによって形成される。
【００１１】
袋体１表面の光触媒紙２は、和紙、洋紙、不織布等の基材の全体に光触媒機能を有する酸化チタン（ＴｉＯ２）を付着させたものである。
【００１２】
この付着手法としては、基材に酸化チタンの微粉末または溶液をスプレーで吹き付けたり、あるいはブラシで塗布する方法の他、酸化チタンの微粒子を和紙、洋紙の原料（乾式パルプ）にすき込むことによって紙基材全体に含浸させるようにしてもよい。
【００１３】
さらに、光触媒機能を有する酸化チタンとしては、太陽光の紫外線と反応して酸化還元反応を起すものの他に、蛍光灯、殺菌灯、水銀ランプ、メタルハライドランプ等々あらゆる光に反応して酸化還元反応を起す、いわゆる可視光線反応タイプの酸化チタンを使用することもできる。
【００１４】
光触媒紙２の裏面に部分的にコーティングされる防湿性プラスチックフィルム材３としては、ポリエチレン（ＰＥ）やポリプロピレン（ＰＰ）等が適している。
【００１５】
図１において、３ａは防湿性プラスチックフィルム材３のコーティング部、３ｂは非コーティング部をそれぞれ示す。図１は、小円状の非コーティング部３ｂを光触媒紙２の全体にほぼ均等な間隔で設けたものである。
【００１６】
おむすび５としては、図示例では炊飯した米飯を三角形状に握ったものであるが、円形、楕円形、あるいは四角形等でもよく、また、外周に海苔を巻き、内部に適宜の具を充填してもよいことは勿論である。
【００１７】
一方、図２に示す防腐性おむすび包装体Ｂは、防湿性プラスチックフィルム材３の帯状のコーティング３ｃと非コーティング３ｄとを互い違いに設けたものである。その他の部分は、図１に示すおむすび包装体Ａと同構成であるから、同一符号を付すだけでその説明は省略する。
【００１８】
さらに、図３に示す防腐性おむすび包装体Ｃは、正面中央部のみ防湿性プラスチックフィルム材３の三角形状の非コーティング部３ｅを設け、他の部分をコーティング部３ｆとしたものである。その他の部分は、図１および図２に示すおむすび包装体Ａ、Ｂと同構成であるから、前記同様に同一符号を付すだけでその説明は省略する。
【００１９】
図１乃至図３において、防湿性プラスチックフィルム材３のコーティング３ａ、３ｃ、３ｅと非コーティング３ｂ、３ｄ、３ｅは、おにぎり包装体Ａ、Ｂ、Ｃそれぞれの表裏両面に設けることが望ましいのは勿論である。また、防湿性プラスチックフィルム材３のコーティング３ａ、３ｃ、３ｅと非コーティング３ｂ、３ｄ、３ｅの形状、大きさは図示例に限定されるものでないことも勿論である。
【００２０】
いずれの防腐性おにぎり包装体Ａ、Ｂ、Ｃにおいても、袋体１の外面を構成する光触媒紙２に付着された酸化チタンが外部から照射される光と反応して酸化還元反応を起す。
【００２１】
このとき、防湿性プラスチックフィルム材３の非コーティング部３ｂ、３ｅ、３ｆにおいて、光触媒紙２とおむすび５とは直接または空気層を介して接触可能となっているため、袋体１内の空間に混入されたカビの胞子、ウイルスや細菌などの繁殖を抑制し防腐効果さらには防臭効果が得られるものである。
【図面の簡単な説明】
【００２２】
【図１】本発明を実施するための最良の形態における防腐性おむすび包装体を示す正面図である。
【図２】他の実施形態における防腐性おむすび包装体を示す正面図である。
【図３】さらに他の実施形態における防腐性おむすび包装体を示す正面図である。
【図４】袋体を示す一部拡大断面図である。
【符号の説明】
【００２３】
Ａ、Ｂ、Ｃ        防腐性おむすび包装体
１                袋体
２                光触媒紙
３                防湿性プラスチックフィルム材
３ａ、３ｃ、３ｅ  コーティング
３ｂ、３ｄ、３ｆ  非コーティング
５                おむすび
【図１】
2005280823.tif 000003
【図２】
2005280823.tif 000004
【図３】
2005280823.tif 000005
【図４】
2005280823.tif 000006